(57)【要約】  編組ＥＭＩ保護スリーブおよびその構築方法を提供する。スリーブは、対向開放端同士の間で中心の長手方向軸に沿って長さ方向に延在する編組管状壁を有する。壁は複数のフィラメントバンドルを含み、各フィラメントバンドルは互いに撚り合わせられて複数のループを形成する複数のフィラメントを含み、各フィラメントバンドルの複数のループは隣接するフィラメントバンドルの複数のループと連結されている。フィラメントバンドルの少なくとも一部は導電性ワイヤフィラメントを含み、スリーブにＥＭＩ保護遮蔽能力を提供する。
2020506303.tif 000002
【特許請求の範囲】
【請求項１】
編組ＥＭＩ保護スリーブであって、
対向開放端同士の間で中心の長手方向軸に沿って長さ方向に延在する編組管状壁を備え、前記壁は複数のフィラメントバンドルを有し、各フィラメントバンドルは互いに撚り合わせられて複数のループを形成する複数のフィラメントを含み、前記編組ＥＭＩ保護スリーブはさらに、
隣接するフィラメントバンドルの前記複数のループと連結されている各フィラメントバンドルの前記複数のループと、
導電性ワイヤフィラメントとして提供されて前記スリーブにＥＭＩ保護能力を提供する前記複数のフィラメントとを備える、編組ＥＭＩ保護スリーブ。
【請求項２】
前記フィラメントバンドルの少なくとも一部は、互いに撚り合わせられた導電性ワイヤフィラメントで全体が形成される、請求項１に記載の編組ＥＭＩ保護スリーブ。
【請求項３】
前記フィラメントバンドルの全体は、互いに撚り合わせられた導電性ワイヤフィラメントで全体が形成される、請求項２に記載の編組ＥＭＩ保護スリーブ。
【請求項４】
前記フィラメントバンドルの少なくとも一部は非導電性フィラメントを含む、請求項２に記載の編組ＥＭＩ保護スリーブ。
【請求項５】
前記フィラメントバンドルの少なくとも一部は、互いに撚り合わせられた非導電性フィラメントで全体が形成される、請求項４に記載の編組ＥＭＩ保護スリーブ。
【請求項６】
前記フィラメントバンドルの少なくとも一部は、導電性ワイヤフィラメントと撚り合わせられた非導電性フィラメントを含む、請求項４に記載の編組ＥＭＩ保護スリーブ。
【請求項７】
前記壁は、前記導電性ワイヤフィラメントで全体が形成される、請求項１に記載の編組ＥＭＩ保護スリーブ。
【請求項８】
前記フィラメントバンドルの少なくとも一部は、互いに撚り合わせられた非導電性フィラメントで全体が形成される、請求項１に記載の編組ＥＭＩ保護スリーブ。
【請求項９】
前記フィラメントバンドルの少なくとも一部は、導電性ワイヤフィラメントと撚り合わせられた非導電性フィラメントを含む、請求項８に記載の編組ＥＭＩ保護スリーブ。
【請求項１０】
前記フィラメントバンドルの少なくとも一部は、互いに撚り合わせられた導電性フィラメントで全体が形成される、請求項９に記載の編組ＥＭＩ保護スリーブ。
【請求項１１】
前記フィラメントバンドルの少なくとも一部は、導電性ワイヤフィラメントと撚り合わせられた非導電性フィラメントを含む、請求項１に記載の編組ＥＭＩ保護スリーブ。
【請求項１２】
前記フィラメントバンドルの各々は、導電性ワイヤフィラメントと撚り合わせられた非導電性フィラメントを含む、請求項１１に記載の編組ＥＭＩ保護スリーブ。
【請求項１３】
前記フィラメントバンドルの少なくとも一部は、非導電性フィラメントと撚り合わせられるまたは非導電性フィラメントとともに提供される導電性ワイヤフィラメントを有するハイブリッドフィラメントを含むハイブリッドフィラメントバンドルであり、前記ハイブリッドフィラメントは別のフィラメントと撚り合わせられて前記ハイブリッドフィラメントバンドルを形成する、請求項１に記載の編組ＥＭＩ保護スリーブ。
【請求項１４】
前記フィラメントバンドルの全体は前記ハイブリッドフィラメントバンドルとして形成される、請求項１３に記載の編組ＥＭＩ保護スリーブ。
【請求項１５】
ＥＭＩ保護スリーブを構築する方法であって、
対向開放端同士の間で中心の長手方向軸に沿って長さ方向に延在する管状壁を、少なくとも部分的に複数のフィラメントバンドルと編組することを備え、各フィラメントバンドルは、互いに撚り合わせられて各フィラメントバンドルの長さに沿ったループを形成する複数のフィラメントを含み、前記方法はさらに、
各フィラメントバンドルの長さに沿った複数の前記ループを、隣接するフィラメントバンドルの周方向に並んだループと連結することと、
前記複数のフィラメントを導電性ワイヤフィラメントとして提供して、前記スリーブにＥＭＩ保護能力を提供することとを備える、方法。
【請求項１６】
互いに撚り合わせられた導電性ワイヤフィラメントで全体が形成されている前記フィラメントバンドルの少なくとも一部を提供することをさらに含む、請求項１５に記載の方法。
【請求項１７】
互いに撚り合わせられた導電性ワイヤフィラメントで全体が形成されている前記フィラメントバンドルの全体を提供することをさらに含む、請求項１６に記載の方法。
【請求項１８】
非導電性フィラメントを含む前記フィラメントバンドルの少なくとも一部を提供することをさらに含む、請求項１６に記載の方法。
【請求項１９】
互いに撚り合わせられた非導電性フィラメントで全体が形成されている前記フィラメントバンドルの少なくとも一部を提供することをさらに含む、請求項１８に記載の方法。
【請求項２０】
導電性ワイヤフィラメントと撚り合わせられた非導電性フィラメントを含む前記フィラメントバンドルの少なくとも一部を提供することをさらに含む、請求項１８に記載の方法。
【請求項２１】
互いに撚り合わせられた非導電性フィラメントで全体が形成されている前記フィラメントバンドルの少なくとも一部を提供することをさらに含む、請求項１５に記載の方法。
【請求項２２】
導電性ワイヤフィラメントと撚り合わせられた非導電性フィラメントを含む前記フィラメントバンドルの少なくとも一部を提供することをさらに含む、請求項２１に記載の方法。
【請求項２３】
互いに撚り合わせられた導電性フィラメントで全体が形成されている前記フィラメントバンドルの少なくとも一部を提供することをさらに含む、請求項２２に記載の方法。
【請求項２４】
導電性ワイヤフィラメントと撚り合わせられた非導電性フィラメントを含む前記フィラメントバンドルの少なくとも一部を提供することをさらに含む、請求項１５に記載の方法。
【請求項２５】
導電性ワイヤフィラメントと撚り合わせられた非導電性フィラメントを含む前記フィラメントバンドルの各々を提供することをさらに含む、請求項２４に記載の方法。
【請求項２６】
前記フィラメントバンドルの少なくとも一部を、非導電性フィラメントと撚り合わせられるまたは非導電性フィラメントとともに提供される導電性ワイヤフィラメントを有するハイブリッドフィラメントを含むハイブリッドフィラメントバンドルとして提供することをさらに含み、前記ハイブリッドフィラメントは別のフィラメントと撚り合わせられて前記ハイブリッドフィラメントバンドルを形成する、請求項１５に記載の方法。
【発明の詳細な説明】
【技術分野】
【０００１】
関連出願の相互参照
本願は、２０１７年１月３１日に出願された米国仮出願第６２／４５２，６８１号、および２０１８年１月３１日に出願された米国実用出願第１５／８８４，１７４号に基づく利益を主張し、これらの出願の内容全体を本明細書に引用により援用する。
【０００２】
発明の背景
１．技術分野
本発明は概して繊維スリーブに関し、特に編組電磁干渉保護スリーブに関する。
【背景技術】
【０００３】
２．関連技術
電気ケーブルなどの電気部材は、当該電気部材に取付けられた電気部品の性能が悪影響を受けないようにするために、電磁干渉（electromagnetic interference：ＥＭＩ）から保護しなければならないことが知られている。ある場合では、ＥＭＩを減少させるためにワイヤハーネスバンドルの別個の各ケーブルが保護スリーブで遮蔽され得ることによって、ケーブルと同数の保護スリーブがもたらされる。他の場合では、ワイヤハーネスバンドルの別個のケーブルは遮蔽されないままであり得、単一の保護スリーブを用いて別個のケーブルの全体が遮蔽され得る。前者の場合、個々のケーブルを遮蔽するのは概して成功するが、別個の保護スリーブが存在するためにコスト、質量および空間要求が増加することになる。後者の場合、束ねたケーブルの各々の端部の周りに単一の保護スリーブを適合させなければならないため、特に端部が電気コネクタまたはバックシェルへの取付けのために朝顔形または扇形に広がる必要がある場合に、問題が生じ得る。保護スリーブが、別個のケーブルの端部に直接隣接した比較的減少した直径から、電気コネクタに接続するために拡大した扇形に広がった形状に広がることができるようにするためには、束ねられたケーブルには大き過ぎると考えられる最小直径を有する公知の保護スリーブのサイズが提供されて、扇形に広がるまたは拡大する必要がある端部が、ケーブルをそれぞれの電気コネクタに接続できるようにするために必要なサイズを達成できるようにする。このため、公知の保護スリーブは一般に、束ねられたケーブルの全長にわたってぴったりと適合することができないので、遮蔽されて束ねられたケーブルアセンブリの大きさ、質量およびコストが増加することになる。
【発明の概要】
【発明が解決しようとする課題】
【０００４】
発明に従って構築されたＥＭＩ編組スリーブは、本明細書中の開示を読むと当業者によって容易に理解されるように、少なくとも上述のそれらの欠点を克服する。
【課題を解決するための手段】
【０００５】
発明の概要
発明の一局面に従うと、編組ＥＭＩ保護スリーブが提供される。当該スリーブは、対向開放端同士の間で中心の長手方向軸に沿って長さ方向に延在する編組管状壁を有する。壁は複数のフィラメントバンドルを含み、各フィラメントバンドルは互いに撚り合わせられて複数のループを形成する複数のフィラメントを含み、各フィラメントバンドルの複数のループは隣接するフィラメントバンドルの複数のループと連結されている。複数のフィラメントは導電性ワイヤフィラメントとして提供されてスリーブにＥＭＩ保護能力を提供する。
【０００６】
発明の別の局面に従うと、複数のフィラメントバンドルは導電性ワイヤフィラメントで全体が形成され得る。
【０００７】
発明の別の局面に従うと、フィラメントバンドルの全体は導電性ワイヤフィラメントで全体が形成され得る。
【０００８】
発明の別の局面に従うと、壁はフィラメントバンドルで全体が形成され、フィラメントバンドルの全体は導電性ワイヤフィラメントで全体が形成され得る。
【０００９】
発明の別の局面に従うと、フィラメントバンドルの少なくとも一部は非導電性フィラメントを含み得る。
【００１０】
発明の別の局面に従うと、フィラメントバンドルの少なくとも一部は非導電性フィラメントで全体が形成され得る。
【００１１】
発明の別の局面に従うと、フィラメントバンドルの少なくとも一部は、導電性ワイヤフィラメントと撚り合わせられた非導電性フィラメントを含み得る。
【００１２】
発明の別の局面に従うと、フィラメントバンドルの少なくとも一部は、導電性ワイヤフィラメントと撚り合わせられるまたは導電性ワイヤフィラメントとともに提供される非導電性マルチフィラメントヤーンを含むことによって、壁の被覆保護および耐衝撃性を高め得る。
【００１３】
発明の別の局面に従うと、ＥＭＩ保護スリーブを構築する方法が提供される。当該方法は、対向開放端同士の間で中心の長手方向軸に沿って長さ方向に延在する管状壁を編組することを含む。さらに、複数のフィラメントバンドルを含む壁を編組することと、互いに撚り合わせられてそれぞれのフィラメントバンドルの長さに沿った複数のループを形成する複数のフィラメントを含む各フィラメントバンドルを提供することとを含む。そしてさらに、各フィラメントバンドルの長さに沿った複数のループを、隣接するフィラメントバンドルの複数のループと連結することと、複数のフィラメントを導電性ワイヤフィラメントとして提供して、スリーブにＥＭＩ保護能力を提供することとを含む。
【００１４】
発明の別の局面に従うと、当該方法は、互いに撚り合わせられた導電性ワイヤフィラメントで全体が形成されている複数のフィラメントバンドルを提供することをさらに含み得る。
【００１５】
発明の別の局面に従うと、当該方法は、導電性ワイヤフィラメントで全体が形成されている編組フィラメントバンドルの全体を提供することをさらに含み得る。
【００１６】
発明の別の局面に従うと、当該方法は、導電性ワイヤフィラメントで全体が形成されている壁を編組することをさらに含み得る。
【００１７】
発明の別の局面に従うと、当該方法は、非導電性フィラメントを含むフィラメントバンドルの少なくとも一部を提供することをさらに含み得る。
【００１８】
発明の別の局面に従うと、当該方法は、互いに撚り合わせられた非導電性フィラメントで全体が形成されているフィラメントバンドルの少なくとも一部を提供することをさらに含み得る。
【００１９】
発明の別の局面に従うと、当該方法は、互いに撚り合わせられた非導電性フィラメントおよび導電性フィラメントを含むフィラメントバンドルの少なくとも一部を提供することをさらに含み得る。
【００２０】
発明の別の局面に従うと、当該方法は、フィラメントバンドルの少なくとも一部を、非導電性フィラメントと撚り合わせられるまたは非導電性フィラメントとともに提供される導電性ワイヤフィラメントを有するハイブリッドフィラメントを含むハイブリッドフィラメントバンドルとして提供することをさらに含み、ハイブリッドフィラメントは別のフィラメントと撚り合わせられてハイブリッドフィラメントバンドルを形成し得る。
【００２１】
本発明のこれらのおよび他の局面、特徴および利点は、現状の好ましい実施形態および最良の実施態様の以下の詳細な説明、添付の特許請求の範囲ならびに添付の図面に関連して考慮されるとより容易に理解されるであろう。
【図面の簡単な説明】
【００２２】
【図１】示される開示の一実施形態に従って構築された編組ＥＭＩ保護スリーブが複数の電気ケーブルの朝顔形に広がった端部領域の周りに配置された状態の、電気車両部品に接続された高出力ケーブルバンドルの斜視図である。
【図２】図１のスリーブの側面図である。
【図３Ａ】開示の別の局面に従ったフィラメントを含むスリーブの壁の部分平面図である。
【図３Ｂ】開示のさらに別の局面に従ったフィラメントを含むスリーブの壁の部分平面図である。
【図３Ｃ】開示のさらに別の局面に従ったフィラメントを含むスリーブの壁の部分平面図である。
【図３Ｄ】開示のさらに別の局面に従ったフィラメントを含むスリーブの壁の部分平面図である。
【図３Ｅ】開示のさらに別の局面に従ったフィラメントを含むスリーブの壁の部分平面図である。
【図３Ｆ】開示のさらに別の局面に従ったフィラメントを含むスリーブの壁の部分平面図である。
【図４】開示のさらに別の局面に従ったスリーブの壁の構築に用いられ得るハイブリッドフィラメントの部分側面図である。
【図５Ａ】図４のハイブリッドフィラメントを含むスリーブの管状壁の部分平面図である。
【図５Ｂ】図４のハイブリッドフィラメントを含むスリーブの管状壁の部分平面図である。
【図５Ｃ】図４のハイブリッドフィラメントを含むスリーブの管状壁の部分平面図である。
【図５Ｄ】図４のハイブリッドフィラメントを含むスリーブの管状壁の部分平面図である。
【図５Ｅ】図４のハイブリッドフィラメントを含むスリーブの管状壁の部分平面図である。
【図５Ｆ】図４のハイブリッドフィラメントを含むスリーブの管状壁の部分平面図である。
【発明を実施するための形態】
【００２３】
現状の好ましい実施形態の詳細な説明
図面をより詳細に参照して、図１および図２は、発明の一局面に従って構築された、以下スリーブ１０と称される編組保護スリーブを示す。スリーブ１０は、対向開放端１６，１８の間を中心の長手方向軸１４に沿って長さ方向に延在する、編組された、周方向に連続的な、継ぎ目のない管状壁１２を有する。壁１２は、スリーブ１０の長さに沿った任意の所望の場所で増加直径Ｄ１を達成するように自身の長さの全体に沿って軸方向に圧縮可能であり、スリーブ１０の長さに沿った任意の所望の場所で減少直径Ｄ２を達成するように軸方向に延長可能である。したがって、増加直径領域Ｄ１および減少直径領域Ｄ２を所望通りにスリーブ１０の長さに沿ってどこでも形成することができる。これは、コネクタなどの領域内に存在し得るような拡大領域を収容するために、かつスリーブ１０によって保護されている部材の周りのぴったりとした嵌合においてスリーブ１０を適合させるために必要となり得る。
【００２４】
壁１２は複数のフィラメントバンドル２０を含み、各フィラメントバンドル２０は、一例として限定されずに、互いに撚り合わせられた１対のフィラメント２２として示されているフィラメント２２の複数の端部を含む。本明細書において使用するフィラメントという用語はモノフィラメントおよびマルチフィラメントの両方を含むことが意図されており、モノフィラメントかマルチフィラメントかに係わらず、一般にヤーンとも称され得る。したがって、フィラメントバンドル２０はモノフィラメントおよびマルチフィラメントの両方を含んでもよいし、モノフィラメントで全体がまたはマルチフィラメントで全体が形成されてもよい。各フィラメントバンドル２０の長さに沿って複数のループ２４が設けられており、ループ２４は互いに撚り合わせられた別個のフィラメント２２同士の間に閉じた開口部を形成する。１つのフィラメントバンドル２０のループ２４の少なくとも一部またはすべては、隣接するフィラメントバンドル２０のループ２４の少なくとも一部またはすべてと連結されることによって、連結されたフィラメントバンドル２０同士が互いに相対的に大きく移動しないようにできるため、スリーブ１０の構造的完全性が高まる。編組壁１２の内部、およびバンドル２０の少なくとも一部の内部の複数のフィラメント２２は連続的な導電性ワイヤフィラメント２６として提供されて、スリーブ１０にＥＭＩ保護能力を提供する。上述のように、バンドル２０は互いに相対的に摺動または移動しないように固定されているので、編組バンドル２０同士の間に境界された開口部２５を比較的固定された、予め定義されたサイズを有するとして維持することによって重要なさらなる機能が提供され、開口部２５のサイズはＥＭＩからの保護を最適化するように予め定義されている。つまり、バンドル２０の内部の導電性ワイヤフィラメント２６が互いに相対的に自由に移動および摺動できる場合、開口部２５は、一例として、コネクタ上に嵌合するように広げられるまたは扇形に広げられるなど、特に処理および操作されている領域において、サイズが自由に変化するおよび増大することができるようになり、壁１２のＥＭＩ保護能力が損なわれることはない。保護能力が損なわれることは、ループ２４が連結される結果として、発明に従って構築されたスリーブ１０において起こることは許されない。
【００２５】
フィラメントバンドル２０は、一例として限定されずに、ＥＭＩ、摩耗、汚れ（流体およびごみ）の侵入、環境的な熱的条件からの保護を含む、所望の保護の性質に応じて、さらに所望のスリーブの可撓性に応じて、多数の構成を有して形成され得る。
【００２６】
たとえば、図３Ａの非限定的な実施形態に示されるように、開示の一局面に従って構築された編組管状壁１１２を形成するフィラメントバンドル１２０（上記で使用した参照番号に１００を足した同じ参照番号を使用して同様の特徴を特定する）は、導電性ワイヤフィラメント２６で全体が形成され得る。ゆえに、壁１１２が導電性ワイヤフィラメント２６で全体が形成されることによって、ＥＭＩからの保護を最大化できると考えられる。しかし、以下にさらなる非限定的な実施形態に関して記載されるように、一例として限定されずに、たとえば、摩耗からの、汚れ（流体およびごみ）の侵入からの、環境的な熱的条件からの保護を高めるために、弾性的な押し返す力を増大させて壁が軸方向に圧縮された際の壁の延長長さへの自動的な押し返し（復帰）を高めるために、かつスリーブの可撓性を高めるために、そして同時にＥＭＩからの好適な保護を提供するために、フィラメントバンドル２０および／または壁１２は導電性ワイヤフィラメント２６に加えて非導電性フィラメント２８を含み得ることが考えられる。
【００２７】
開示の別の非限定的な局面に従うと、図３Ｂに示されるように、編組管状壁２１２（上記で使用した参照番号に２００を足した同じ参照番号を使用して同様の特徴を特定する）は、互いに撚り合わせられた導電性ワイヤフィラメント２６および非導電性フィラメント２８の両方を含むフィラメントバンドル２２０を含み得る。したがって、各フィラメントバンドル２２０は、１つ以上の非導電性フィラメント２８と撚り合わせられた１つ以上の導電性ワイヤフィラメント２６を含み得ることを認識すべきである。
【００２８】
開示の別の非限定的な局面に従うと、図３Ｃに示されるように、編組管状壁３１２（上記で使用した参照番号に３００を足した同じ参照番号を使用して同様の特徴を特定する）は、互いに撚り合わせられた導電性ワイヤフィラメント２６のみを含むフィラメントバンドル３２０と、互いに撚り合わせられた非導電性フィラメント２８のみを含むフィラメントバンドル３２０′とを含み得る。それぞれのフィラメントバンドル３２０，３２０′を所望通りに互いに交互に配置して所望の種類の保護を達成できることを認識すべきである。したがって、フィラメントバンドル３２０，３２０′は、反対の螺旋方向に沿って１：１の関係で交互に配置されるかその他の方法で交互に配置されるかに係わらず、同数の端部を有して互いに均一の間隔で互いに編組され得る。当然のことながら、フィラメントバンドル３２０，３２０′は互いに異なる数の端部を有して編組されてもよく、フィラメントバンドル３２０，３２０′の一方のより多いまたはより少ないフィラメントバンドルが他方と編組されてもよい。
【００２９】
開示の別の非限定的な局面に従うと、図３Ｄに示されるように、編組管状壁４１２（上記で使用した参照番号に４００を足した同じ参照番号を使用して同様の特徴を特定する）は、互いに撚り合わせられた導電性ワイヤフィラメント２６のみを含むフィラメントバンドル４２０と、非導電性フィラメント２８と撚り合わせられた導電性ワイヤフィラメント２６を含むフィラメントバンドル４２０′との組合わせを含み得る。それぞれのフィラメントバンドル４２０，４２０′を所望通りに互いに交互に配置して所望の種類の保護を達成できることを認識すべきである。したがって、フィラメントバンドル４２０，４２０′は、反対の螺旋方向に沿って１：１の関係で交互に配置されるかその他の方法で交互に配置されるかに係わらず、同数の端部を有して互いに均一の間隔で互いに編組され得る。当然のことながら、フィラメントバンドル４２０，４２０′は互いに異なる数の端部を有して編組されてもよく、フィラメントバンドル４２０，４２０′の一方のより多いまたはより少ないフィラメントバンドルが他方と編組されてもよい。
【００３０】
開示の別の非限定的な局面に従うと、図３Ｅに示されるように、編組管状壁５１２（上記で使用した参照番号に５００を足した同じ参照番号を使用して同様の特徴を特定する）は、互いに撚り合わせられた非導電性ワイヤフィラメント２８のみを含むフィラメントバンドル５２０と、非導電性フィラメント２８と撚り合わせられた導電性ワイヤフィラメント２６を含むフィラメントバンドル５２０′との組合わせを含み得る。それぞれのフィラメントバンドル５２０，５２０′を所望通りに互いに交互に配置して所望の種類の保護を達成できることを認識すべきである。したがって、フィラメントバンドル５２０，５２０′は、反対の螺旋方向に沿って１：１の関係で交互に配置されるかその他の方法で交互に配置されるかに係わらず、同数の端部を有して互いに均一の間隔で互いに編組され得る。当然のことながら、フィラメントバンドル５２０，５２０′は互いに異なる数の端部を有して編組されてもよく、フィラメントバンドル５２０，５２０′の一方のより多いまたはより少ないフィラメントバンドルが他方と編組されてもよい。
【００３１】
開示の別の非限定的な局面に従うと、図３Ｆに示されるように、編組管状壁６１２（上記で使用した参照番号に６００を足した同じ参照番号を使用して同様の特徴を特定する）は、互いに撚り合わせられた導電性ワイヤフィラメント２６のみを含むフィラメントバンドル６２０と、互いに撚り合わせられた非導電性ワイヤフィラメント２８のみを含むフィラメントバンドル６２０′と、非導電性フィラメント２８と撚り合わせられた導電性ワイヤフィラメント２６を含むフィラメントバンドル６２０″との組合わせを含み得る。それぞれのフィラメントバンドル６２０，６２０′，６２０″を所望通りに互いに交互に配置して所望の種類の保護を達成できることを認識すべきである。したがって、フィラメントバンドル６２０，６２０′，６２０″は、反対の螺旋方向に沿って１：１：１の関係で交互に配置されるかその他の方法で交互に配置されるかに係わらず、同数の端部を有して互いに均一の間隔で互いに編組され得る。当然のことながら、フィラメントバンドル６２０，６２０′，６２０″は互いに異なる数の端部を有して編組されてもよく、フィラメントバンドル６２０，６２０′，６２０″のうちの１つのより多いまたはより少ないフィラメントバンドルがその他のフィラメントバンドルと編組されてもよい。
【００３２】
開示のさらなる局面に従うと、上記の壁１２，１１２，２１２，３１２，４１２，５１２，６１２は、少なくとも１つの非導電性フィラメント２８と撚り合わせられるまたは少なくとも１つの非導電性フィラメント２８とともに提供される少なくとも１つの導電性ワイヤフィラメント２６を有するハイブリッドフィラメント２２′（図４）を含むように編組され得る。たとえば、図５Ａ〜図５Ｆに示される非限定的な実施形態では、図３Ａ〜図３Ｆに記載および図示された上記の実施形態のいずれかにおいてワイヤフィラメント２６の代わりにハイブリッドフィラメント２２′を用いることができ、ワイヤフィラメント２６をハイブリッドフィラメント２２′に置換えると、示されるようにそれぞれの壁１１２′，２１２′，３１２′，４１２′，５１２′，６１２′が得られ、さらなる説明は不要であると考えられる。これによって、一例として限定されずに、特に非導電性フィラメント２８がマルチフィラメントとして提供される場合、ワイヤフィラメント２６とともに提供されるまたはワイヤフィラメント２６と撚り合わせられる、比較的大きく耐衝撃性を有する非導電性フィラメント２８の存在によって、環境要素の侵入からの被覆保護を高め、耐衝撃性を高めることができる。
【００３３】
明らかに、上記の教示に鑑みて本発明の多くの変更および変形が可能である。組合わせが互いに矛盾しない限り、すべての請求項の、およびすべての実施形態のすべての特徴が互いに組合わせられ得ると考えられる。したがって、添付の特許請求の範囲内で、発明は、具体的に記載されている以外の態様で実施され得ることが理解されるべきである。
【図１】
2020506303.tif 000003
【図２】
2020506303.tif 000004
【図３Ａ】
2020506303.tif 000005
【図３Ｂ】
2020506303.tif 000006
【図３Ｃ】
2020506303.tif 000007
【図３Ｄ】
2020506303.tif 000008
【図３Ｅ】
2020506303.tif 000009
【図３Ｆ】
2020506303.tif 000010
【図４】
2020506303.tif 000011
【図５Ａ】
2020506303.tif 000012
【図５Ｂ】
2020506303.tif 000013
【図５Ｃ】
2020506303.tif 000014
【図５Ｄ】
2020506303.tif 000015
【図５Ｅ】
2020506303.tif 000016
【図５Ｆ】
2020506303.tif 000017
【国際調査報告】
2020506303.tif 000018
2020506303.tif 000019